【手続補正書】
【提出日】平成23年4月6日(2011.4.6)
【手続補正１】
【補正対象書類名】特許請求の範囲
【補正対象項目名】全文
【補正方法】変更
【補正の内容】
【特許請求の範囲】
【請求項１】
配線網に連結された電力変換器用の集積回路制御器であって、
スイッチのスイッチングを制御して前記電力変換器の出力を調節するためにドライブ信
号を出力するスイッチング制御回路と、
スイッチング信号に応答して前記スイッチング制御回路に補償された基準電圧信号を出
力するケーブル原因の電圧降下の補償器と
を含み、前記スイッチング信号が前記ドライブ信号を表し、前記補償された基準電圧信号
が前記配線網を横切る配線電圧と前記配線網に連結される負荷を横切る負荷電圧に応答す
る電圧値を表し、前記スイッチの前記スイッチングが前記補償された基準電圧信号とフィ
ードバック信号に応答する集積回路制御器。
【請求項２】
前記電力スイッチを通って流れるスイッチ電流に応答して電流限度到達信号を出力する
ように連結された電流制限器をさらに含み、前記スイッチング制御回路が前記電流限度到
達信号に応答して前記ドライブ信号を出力するように連結される、請求項１に記載の集積
回路制御器。
【請求項３】
前記スイッチング制御回路によって受信されるようにつながれるクロック信号を出力す
るように連結された発振器をさらに含み、前記スイッチング制御回路が前記クロック信号
に応答して前記ドライブ信号を出力するように連結される、請求項１に記載の集積回路制
御器。
【請求項４】
前記ケーブル原因の電圧降下の補償器が、
前記スイッチング制御回路からの前記スイッチング信号に応答してスイッチング係数信
号を出力するように連結されたスイッチング係数演算器と、
前記スイッチング係数信号に応答して前記補償された基準電圧信号を出力するように連
結された電圧補償演算器とを含む、請求項１に記載の集積回路制御器。
【請求項５】
前記スイッチング係数演算器が前記スイッチング係数信号を生成するように連結された
ローパス・フィルタを含む、請求項４に記載の集積回路制御器。
【請求項６】
前記電圧補償演算器がピーク電流限度調整信号にさらに応答して前記補償された基準電
圧信号を出力するように連結される、請求項４に記載の集積回路制御器。
【請求項７】
前記電圧補償演算器が基準電圧にさらに応答して前記補償された基準電圧信号を出力す
るように連結される、請求項４に記載の集積回路制御器。
【請求項８】
前記スイッチング制御回路と前記ケーブル原因の電圧降下の補償器が単一のモノリシッ
ク・デバイス内に含まれる、請求項１に記載の集積回路制御器。
【請求項９】
前記単一のモノリシック・デバイスが前記スイッチをさらに含む、請求項８に記載の集
積回路制御器。
【請求項１０】
前記補償された基準電圧信号が、前記配線網を横切る前記配線電圧と前記配線網に連結
される前記負荷を横切る前記負荷電圧の合計に応答する、請求項１に記載の集積回路制御
器。
【請求項１１】
電力変換器を制御するための方法であって、
前記電力変換器の入力部から前記電力変換器の出力部へのエネルギーの伝達を制御する
ようにスイッチをスイッチングさせるステップと、
前記スイッチの前記スイッチングに応答してスイッチング係数を生成するステップと、
前記電力変換器の前記出力部に連結された配線網を横切る配線電圧と前記配線網に連結
された負荷を横切る負荷電圧を補償するために基準電圧と前記スイッチング係数に応答し
て補償された基準電圧信号を生成するステップと、
前記補償された基準電圧信号とフィードバック信号に応答して前記スイッチの前記スイ
ッチングを制御するステップと
を含む方法。
【請求項１２】
前記補償された基準電圧信号を生成するステップがさらに、
前記スイッチのピーク電流限度を変えるステップと、
前記スイッチの電流制限比を計算するステップと、
前記電流制限比、前記基準電圧、前記スイッチング係数にさらに応答して前記補償され
た基準電圧信号を生成するステップとを含む、請求項１１に記載の電力変換器を制御する
ための方法。
【請求項１３】
前記スイッチの前記電流制限比が前記スイッチの前記ピーク電流限度と最大ピーク電流
限度に応答して計算される、請求項１２に記載の電力変換器を制御するための方法。
【請求項１４】
前記電力変換器の前記入力部を前記電力変換器の前記出力部から電気的に分離すること
をさらに含む、請求項１１に記載の電力変換器を制御するための方法。
【請求項１５】
前記電力変換器のエネルギー伝達素子の補助巻線を横切る電圧を感知することに応答し
て前記フィードバック信号を生成することをさらに含む、請求項１１に記載の電力変換器
を制御するための方法。
【請求項１６】
電力変換器であって、
入力部と出力部を有するエネルギー伝達素子と、
前記電力変換器の出力に応答してフィードバック信号を生成するように前記エネルギー
伝達素子に連結されたセンサと、
前記エネルギー伝達素子に連結されたスイッチのスイッチングを制御して電力変換器の
出力を調節するためにドライブ信号を出力するスイッチング制御回路と、
スイッチング信号に応答して前記スイッチング制御回路に補償された基準電圧信号を出
力するケーブル原因の電圧降下の補償器と
を含み、前記スイッチング信号が前記ドライブ信号を表し、前記補償された基準電圧信号
が配線網を横切る配線電圧と前記配線網に連結される負荷を横切る負荷電圧に応答する電
圧値を表し、前記スイッチの前記スイッチングが前記補償された基準電圧信号とフィード
バック信号に応答する電力変換器。
【請求項１７】
前記電力スイッチを通って流れるスイッチ電流に応答して電流限度到達信号を出力する
ように連結された電流制限器をさらに含み、前記スイッチング制御回路が前記電流限度到
達信号に応答して前記ドライブ信号を出力するように連結される、請求項１６に記載の電
力変換器。
【請求項１８】
前記ケーブル原因の電圧降下の補償器が、
前記スイッチング制御回路からの前記スイッチング信号に応答してスイッチング係数信
号を出力するように連結されたスイッチング係数演算器と、
前記スイッチング係数信号に応答して前記補償された基準電圧信号を出力するように連
結された電圧補償演算器とを含む、請求項１６に記載の電力変換器。
【請求項１９】
前記電圧補償演算器が基準電圧にさらに応答して前記補償された基準電圧信号を出力す
るように連結される、請求項１８に記載の電力変換器。
【請求項２０】
配線網に連結された電力変換器用の集積回路制御器であって、
スイッチのスイッチングを制御して前記電力変換器の出力を調節するためにドライブ信
号を出力するスイッチング制御回路と、
スイッチング信号に応答して前記スイッチング制御回路に補償された基準電圧信号を出
力するケーブル原因の電圧降下の補償器であって前記スイッチング信号が前記ドライブ信
号を表し、前記補償された基準電圧信号が前記配線網を横切る配線電圧及び前記配線網に
連結される負荷を横切る負荷電圧に応答する電圧値を表す補償器と、
前記電力スイッチを通って流れるスイッチ電流に応答して電流限度到達信号を出力する
ように連結された電流制限器であって前記スイッチの前記スイッチングが前記補償された
基準電圧信号、フィードバック信号、前記電流限度到達信号に応答する電流制限器とを含
む集積回路制御器。
【請求項２１】
前記ケーブル原因の電圧降下の補償器が、
前記スイッチング制御回路からの前記スイッチング信号に応答してスイッチング係数信
号を出力するように連結されたスイッチング係数演算器と、
前記スイッチング係数信号に応答して前記補償された基準電圧信号を出力するように連
結された電圧補償演算器とを含む、請求項２０に記載の集積回路制御器。
【請求項２２】
前記電圧補償演算器が基準電圧にさらに応答して前記補償された基準電圧信号を出力す
るように連結される、請求項２１に記載の集積回路制御器。
【請求項２３】
配線網に連結された電力変換器用の集積回路制御器であって、
スイッチのスイッチングを制御して前記電力変換器の出力を調節するためにドライブ信
号を出力するスイッチング制御回路と、
スイッチング信号に応答して前記スイッチ制御回路に補償された基準電圧信号を出力す
るケーブル原因の電圧降下の補償器であって、前記スイッチング信号が前記ドライブ信号
を表し、前記補償された基準電圧信号が前記配線網を横切る配線電圧及び前記配線網に連
結される負荷を横切る負荷電圧に応答する電圧値を表す、補償器と、
前記スイッチング制御回路によって受信されるようにつながれるクロック信号を出力す
るように連結された発振器であって、前記スイッチの前記スイッチングが前記補償された
基準電圧信号、フィードバック信号、前記クロック信号に応答する、発振器と
を含む集積回路制御器。
【請求項２４】
前記ケーブル原因の電圧降下の補償器が、
前記スイッチング制御回路からの前記スイッチング信号に応答してスイッチング係数信
号を出力するように連結されたスイッチング係数演算器と、
前記スイッチング係数信号に応答して前記補償された基準電圧信号を出力するように連
結された電圧補償演算器とを含む、請求項２３に記載の集積回路制御器。
【請求項２５】
前記電圧補償演算器が基準電圧にさらに応答して前記補償された基準電圧信号を出力す
るように連結される、請求項２４に記載の集積回路制御器。
【請求項２６】
配線網を介して負荷に電力を与えるための電力変換器用の集積回路制御器であって、集積回路制御器は
スイッチのスイッチングを制御して前記電力変換器の出力を調節するためにドライブ信号を出力するスイッチング制御回路を含み、前記スイッチング制御回路は前記ドライブ信号を表すスイッチング信号をさらに出力し、
スイッチング信号に応答して前記スイッチング制御回路に補償された基準電圧信号を出力するケーブル原因の電圧降下の補償器を含み、前記スイッチング制御回路は前記補償された基準電圧信号およびフィードバック信号に応答してスイッチのスイッチングを制御するためにドライブ信号を出力し、
前記ケーブル原因の電圧降下の補償器は、前記配線網を横切る配線電圧降下を補償するために補償された基準電圧信号を調節する、集積回路制御器。
【請求項２７】
電力変換器を制御するための方法であって、
前記電力変換器の入力部から前記電力変換器の出力部にエネルギーを伝達するようにスイッチのスイッチングを制御するスイッチング制御回路によってドライブ信号を生成するステップと、
前記スイッチング制御回路によって、ドライブ信号を表わすスイッチング信号を生成するステップと、
前記スイッチング信号に応答してスイッチング係数を生成するステップと、
前記電力変換器の前記出力部に連結された配線網を横切る配線電圧と前記配線網に連結
された負荷を横切る負荷電圧とを補償するために基準電圧と前記スイッチング係数に応答して補償された基準電圧信号を生成するステップと、
前記補償された基準電圧信号とフィードバック信号とに応答して前記スイッチの前記スイッチングを制御するステップとを含む、方法。
【請求項２８】
配線網を介して負荷に電力を与えるための電力変換器であって、前記電力変換器は
入力部と出力部を有するエネルギー伝達素子と、
前記電力変換器の出力に応答してフィードバック信号を生成するように前記エネルギー伝達素子に連結されたセンサと、
前記エネルギー伝達素子に連結されたスイッチのスイッチングを制御して電力変換器の出力を調節するためにドライブ信号を出力するスイッチング制御回路とを含み、前記スイッチング制御回路は前記ドライブ信号を表すスイッチング信号をさらに出力し、さらに
スイッチング信号に応答して前記スイッチング制御回路に補償された基準電圧信号を出力するケーブル原因の電圧降下の補償器を含み、
前記スイッチング制御回路は前記補償された基準電圧信号およびフィードバック信号に応答してスイッチのスイッチングを制御するためにドライブ信号を出力し、
前記ケーブル原因の電圧降下の補償器は、前記配線網を横切る配線電圧降下を補償するために補償された基準電圧信号を調節する、電力変換器。